【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
少なくとも、コピー、ファクシミリ、スキャナ機能の複数の機能を有する画像形成装置において、
起動時に前記機能毎に標準画面と簡単画面のうちいずれかを表示させるかを判断し、前記標準画面と前記簡単画面とを切り換えて表示させる操作表示制御手段と、
ユーザを識別するためのユーザコードを設定するユーザコード設定手段と、
設定されたユーザコード毎に、そのユーザが選択した機能毎に前記簡単画面または前記標準画面のいずれか一方の表示画面を設定する画面設定手段と、
前記標準画面と前記簡単画面のそれぞれに対して表示した累計時間を測定する表示時間測定手段と、
を備え、
前記操作表示制御手段は、前記標準画面と前記簡単画面の中から表示累計時間に応じて、機能毎に前記簡単画面または前記標準画面のいずれか一方の表示画面を設定することを特徴とする画像形成装置。
【請求項２】
少なくとも、コピー、ファクシミリ、スキャナ機能の複数の機能を有する画像形成装置の操作画面表示方法であって、
起動時に前記機能毎に前記標準画面と前記簡単画面のうちいずれかを表示させるかを判断し、この判断した画面に切り換えて表示する画面表示工程と、
ユーザコードを認識するユーザコード認識工程と、
前記認識されたユーザコードに設定されているデフォルトのアプリケーションを決定するアプリケーション決定工程と、
前記アプリケーションの初期画面が標準画面か簡単画面であるかを判断する表示画面判断工程と、
前記標準画面と前記簡単画面のそれぞれに対して表示した累計時間を測定する表示時間測定工程と、
を含み、
前記画面表示工程は、前記標準画面と前記簡単画面の中から前記表示時間測定工程の表示累計時間結果にしたがって、機能毎に前記簡単画面または前記標準画面のいずれか一方の表示画面を設定し表示することを特徴とする画像形成装置の操作画面表示方法。
【請求項３】
前記請求項２に記載の画像形成装置の操作画面表示方法を、コンピュータに実行させるためのプログラムとして記録したことを特徴とするコンピュータ読み取り可能な記録媒体。
【手続補正２】
【補正対象書類名】明細書
【補正対象項目名】０００６
【補正方法】変更
【補正の内容】
【０００６】
上述した課題を解決し、目的を達成するために、請求項１にかかる発明は、少なくとも、コピー、ファクシミリ、スキャナ機能の複数の機能を有する画像形成装置において、起動時に前記機能毎に標準画面と簡単画面のうちいずれかを表示させるかを判断し、前記標準画面と前記簡単画面とを切り換えて表示させる操作表示制御手段と、ユーザを識別するためのユーザコードを設定するユーザコード設定手段と、設定されたユーザコード毎に、そのユーザが選択した機能毎に前記簡単画面または前記標準画面のいずれか一方の表示画面を設定する画面設定手段と、前記標準画面と前記簡単画面のそれぞれに対して表示した累計時間を測定する表示時間測定手段と、を備え、前記操作表示制御手段は、前記標準画面と前記簡単画面の中から表示累計時間に応じて、機能毎に前記簡単画面または前記標準画面のいずれか一方の表示画面を設定することを特徴とする。
【手続補正３】
【補正対象書類名】明細書
【補正対象項目名】０００７
【補正方法】変更
【補正の内容】
【０００７】
この発明によれば、画像形成装置が提供するコピー、ファクシミリ、スキャナ機能などの機能を選択するときに、機能毎に標準画面と簡単画面の中から予め設定されている画面を表示することで、ユーザの意図する画像形成内容やユーザの習熟度に適した設定表示画面を提供することが可能になる。たとえば、コピー機能は詳細設定を意識した設定を行うが、ファクシミリは基本動作の利用で充分であるといったように、ユーザの熟練度や利用目的は機器単位ではなく、機器が提供する機能毎に存在することが考えられる。これによりユーザにとって不慣れな機能や、簡単画面で表示される基本機能で充分利用目的を果たしている場合に、必要のない設定項目をユーザに見せずに済み、操作性を向上させることが可能になる。また、標準画面と簡単画面の中から、ユーザ毎に設定されている画面を表示することで、画像形成内容やユーザ毎の習熟度に適した機能設定を行なえる。また、入力されたユーザコードに対して標準画面が使用不可と設定されている場合には、簡単画面から標準画面への切り換えを禁止するようにすれば、提供する機能毎にユーザ毎の使用制限を設けることも可能となる。また、機能毎に標準画面と簡単画面から、ユーザが実際に使用した時間が長い方を初期画面とすることで、初期画面を標準画面か簡単画面かをユーザが意識して設定する必要がなくなり、実際にユーザの利用状況を考慮した初期画面を設定することが可能となる。
【手続補正４】
【補正対象書類名】明細書
【補正対象項目名】０００８
【補正方法】変更
【補正の内容】
【０００８】
また、請求項２にかかる発明は、少なくとも、コピー、ファクシミリ、スキャナ機能の複数の機能を有する画像形成装置の操作画面表示方法であって、起動時に前記機能毎に前記標準画面と前記簡単画面のうちいずれかを表示させるかを判断し、この判断した画面に切り換えて表示する画面表示工程と、ユーザコードを認識するユーザコード認識工程と、前記認識されたユーザコードに設定されているデフォルトのアプリケーションを決定するアプリケーション決定工程と、前記アプリケーションの初期画面が標準画面か簡単画面であるかを判断する表示画面判断工程と、前記標準画面と前記簡単画面のそれぞれに対して表示した累計時間を測定する表示時間測定工程と、を含み、前記画面表示工程は、前記標準画面と前記簡単画面の中から前記表示時間測定工程の表示累計時間結果にしたがって、機能毎に前記簡単画面または前記標準画面のいずれか一方の表示画面を設定し表示することを特徴とする。
【手続補正５】
【補正対象書類名】明細書
【補正対象項目名】０００９
【補正方法】変更
【補正の内容】
【０００９】
この発明によれば、画像形成装置が提供するコピー、ファクシミリ、スキャナ機能などの機能を選択するときに、機能毎に標準画面と簡単画面の中から予め設定されている画面を表示することで、ユーザの意図する画像形成内容やユーザの習熟度に適した設定表示画面を提供することが可能になる。たとえば、コピー機能は詳細設定を意識した設定を行うが、ファクシミリは基本動作の利用で充分であるといったように、ユーザの熟練度や利用目的は機器単位ではなく、機器が提供する機能毎に存在することが考えられる。これによりユーザにとって不慣れな機能や、簡単画面で表示される基本機能で充分利用目的を果たしている場合に、必要のない設定項目をユーザに見せずに済み、操作性を向上させることが可能になる。また、標準画面と簡単画面の中から、ユーザ毎に設定されている画面を表示することで、画像形成内容やユーザ毎の習熟度に適した機能設定を行なえる。また、入力されたユーザコードに対して標準画面が使用不可と設定されている場合には、簡単画面から標準画面への切り換えを禁止するようにすれば、提供する機能毎にユーザ毎の使用制限を設けることも可能となる。また、機能毎に標準画面と簡単画面から、ユーザが実際に使用した時間が長い方を初期画面とすることで、初期画面を標準画面か簡単画面かをユーザが意識して設定する必要がなくなり、実際にユーザの利用状況を考慮した初期画面を設定することが可能となる。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
また、請求項３にかかる発明は、前記請求項２に記載の画像形成装置の操作画面表示方法を、コンピュータに実行させるためのプログラムとして記録したことを特徴とする。
【手続補正１５】
【補正対象書類名】明細書
【補正対象項目名】００１９
【補正方法】変更
【補正の内容】
【００１９】
この発明によれば、請求項２に記載の画像形成装置の操作画面表示方法を、コンピュータに実行させるためのプログラムとして記録することにより、請求項２に記載の画像形成装置の操作画面表示方法をコンピュータ上で実行することが可能になる。
【手続補正１６】
【補正対象書類名】明細書
【補正対象項目名】００２０
【補正方法】変更
【補正の内容】
【００２０】
本発明（請求項１）にかかる画像形成装置は、画像形成装置が提供するコピー、ファクシミリ、スキャナ機能などの機能を選択するときに、機能毎に標準画面と簡単画面の中から予め設定されている画面を表示することで、ユーザの意図する画像形成内容やユーザの習熟度に適した設定表示画面を提供することができる。たとえば、コピー機能は詳細設定を意識した設定を行うが、ファクシミリは基本動作の利用で充分であるといったように、ユーザの熟練度や利用目的は機器単位ではなく、機器が提供する機能毎に存在することが考えられる。これによりユーザにとって不慣れな機能や、簡単画面で表示される基本機能で充分利用目的を果たしている場合に、必要のない設定項目をユーザに見せずに済み、操作性を向上させることができるという効果を奏する。また、標準画面と簡単画面の中から、ユーザ毎に設定されている画面を表示することで、画像形成内容やユーザ毎の習熟度に適した機能設定を行なうことができる。また、入力されたユーザコードに対して標準画面が使用不可と設定されている場合には、簡単画面から標準画面への切り換えを禁止するようにすれば、提供する機能毎にユーザ毎の使用制限を設けることもできるという効果を奏する。また、機能毎に標準画面と簡単画面から、ユーザが実際に使用した時間が長い方を初期画面とすることで、初期画面を標準画面か簡単画面かをユーザが意識して設定する必要がなくなり、実際にユーザの利用状況を考慮した初期画面を設定することができるという効果を奏する。
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
また、本発明（請求項２）にかかる画像形成装置の操作画面表示方法は、画像形成装置が提供するコピー、ファクシミリ、スキャナ機能などの機能を選択するときに、機能毎に標準画面と簡単画面の中から予め設定されている画面を表示することで、ユーザの意図する画像形成内容やユーザの習熟度に適した設定表示画面を提供することができる。たとえば、コピー機能は詳細設定を意識した設定を行うが、ファクシミリは基本動作の利用で充分であるといったように、ユーザの熟練度や利用目的は機器単位ではなく、機器が提供する機能毎に存在することが考えられる。これによりユーザにとって不慣れな機能や、簡単画面で表示される基本機能で充分利用目的を果たしている場合に、必要のない設定項目をユーザに見せずに済み、操作性を向上させることができるという効果を奏する。また、標準画面と簡単画面の中から、ユーザ毎に設定されている画面を表示することで、画像形成内容やユーザ毎の習熟度に適した機能設定を行うことができる。また、入力されたユーザコードに対して標準画面が使用不可と設定されている場合には、簡単画面から標準画面への切り換えを禁止するようにすれば、提供する機能毎にユーザ毎の使用制限を設けることもできるという効果を奏する。また、機能毎に標準画面と簡単画面から、ユーザが実際に使用した時間が長い方を初期画面とすることで、初期画面を標準画面か簡単画面かをユーザが意識して設定する必要がなくなり、実際にユーザの利用状況を考慮した初期画面を設定することができるという効果を奏する。
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
また、本発明（請求項３）にかかる記録媒体は、請求項２に記載の画像形成装置の操作画面表示方法を、コンピュータに実行させるためのプログラムとして記録することにより、請求項２に記載の画像形成装置の操作画面表示方法をコンピュータ上で実行することができるという効果を奏する。